(57)【要約】【課題】収納箱の小型化が可能であり、収納箱内での配線作業が容易な信号処理ユニットを提供する。【解決手段】出力端子として使用される可動端子７を、Ｌ字状に形成し、しかも、ユニット筐体３の上面に回転可能に枢着する。これにより、常に、同軸ケーブルが自然なカーブを描く方向に可動端子７を向けることができる。また、可動端子７がユニット筐体３より高い位置にあるため、信号処理ユニットの配置間隔が狭くても、可動端子７への同軸ケーブルの接続や、接続した同軸ケーブルの引き回しを容易に行うことができ、ひいては収納箱を小型化することができる。【選択図】図１
2008251456.tif 000002
【特許請求の範囲】
【請求項１】
同軸伝送路を引き込む引込口を有した収納箱内に固定され、前記同軸伝送路により伝送される信号を処理する信号処理ユニットであって、
前記同軸伝送路に取り付けられたプラグを着脱可能な円筒状接栓座からなる複数の端子と、
該端子を支持するユニット筐体と
を備え、
前記端子の少なくとも一つは、前記ユニット筐体に接続された接続端の中心軸とケーブル側端子が着脱される着脱端の中心軸とが直交する形状を有し、且つ、前記接続端の中心軸を回転軸として回転可能に枢着された可動端子からなり、
前記可動端子は、前記ユニット筐体を前記収納箱に固定した状態では、前記可動端子の回転により前記着脱端の中心軸がなす平面と、前記ユニット筐体が固定される前記収納箱の固定面とが平行となるように配設されていることを特徴とする信号処理ユニット。
【請求項２】
前記端子は、一つの入力端子と複数の出力端子とを備え、
前記ユニット筐体内に、前記入力端子から入力された信号を分岐して前記複数の出力端子から出力させる分岐回路が内蔵されていることを特徴とする請求項１に記載の信号処理ユニット。
【請求項３】
前記ユニット筐体内には、一つの端子から入力された信号を増幅して他の端子から出力させる増幅回路が内蔵されていることを特徴とする請求項１に記載の信号処理ユニット。
【請求項４】
前記端子の着脱端側は、Ｆ型プラグを着脱可能な形状に形成されていることを特徴とする請求項１乃至請求項３のいずれかに記載の信号処理ユニット。
【請求項５】
前記ユニット筐体は、前記可動端子の接続端を枢着するための取付孔を有すると共に、前記取付孔の開口縁を形成する部分を２分割するように分割された分割筐体を一体に固着した構造を有し、
前記可動端子の接続端側には、前記取付孔の開口縁部に形成された筐体側接続部と係合する端子側接続部が形成され、
前記分割筐体のそれぞれに形成された前記筐体側接続部で前記端子側接続部を挟み込んで両接続部を係合させることにより、前記可動端子は前記ユニット筐体に枢着されることを特徴とする請求項１乃至請求項４のいずれかに記載の信号処理ユニット。
【発明の詳細な説明】
【技術分野】
【０００１】
本発明は、同軸伝送路を引き込む引込口を有した収納箱内に固定して使用される信号処理ユニットに関する。
【背景技術】
【０００２】
近年、ＣＡＴＶシステムなど、情報技術分野のインフラストラクチャーが整備されるに伴って、建物内には、例えば、ＣＡＴＶのブースタ、分配器、ＤＳＵ（デジタルサービスユニット）、ケーブルモデムなどの通信機器、その他、様々な機器（以下「信号処理ユニット」という）が多数設置されるようになってきている。
【０００３】
そして、これら信号処理ユニットの保守，点検を容易にするため、信号処理ユニットを、建物の壁等に取り付けた収納箱（いわゆる住宅情報盤など）に一括して収納することが考えられている（例えば、特許文献１参照）。
【０００４】
また、この種のシステムでは、一般的に、信号処理ユニット間の信号伝送に同軸ケーブルが用いられており、各信号処理ユニットには、同軸ケーブルを接続するための同軸コネクタが設けられている。
【０００５】
具体的には、図９に示すように、信号処理ユニット１０１は、直方体状の筐体１０３を有しており、収納箱に固定する際に、収納箱と接する面を底面として、その底面から立設した側面に、同軸コネクタからなる入力端子１０５及び出力端子１０７，１０８を突設させた形状のものが一般的である（例えば、特許文献２参照）。
【特許文献１】特開２００１−３４５５６２号公報
【特許文献２】特開２００２−１５８４５７号公報
【発明の開示】
【発明が解決しようとする課題】
【０００６】
ところで、上述のように信号処理ユニットの側面に同軸コネクタが設けられている場合、収納箱内に信号処理ユニットを固定する際には、同軸ケーブルに設けられたプラグを着脱するための空間を確保するために、信号処理ユニット同士を離して配置しなければならない。しかも、径の太い同軸ケーブルは小さな曲率で曲げることが困難であり、配線スペースも充分に確保しなければならない。
【０００７】
従って、収納箱を小型化することができないという問題や、収納箱内での配線作業の作業性が悪いという問題があった。
本発明は、こうした問題点を解決するためになされたものであり、その目的は、信号処理ユニットを収納する収納箱の小型化が可能であり、収納箱内での配線作業が容易な信号処理ユニットを提供することにある。
【課題を解決するための手段】
【０００８】
上記課題を解決するためになされた請求項１に記載の発明は、同軸伝送路を引き込む引込口を有した収納箱内に固定され、前記同軸伝送路により伝送される信号を処理する信号処理ユニットであって、前記同軸伝送路に取り付けられたプラグを着脱可能な円筒状接栓座からなる複数の端子と、該端子を支持するユニット筐体とを備え、前記端子の少なくとも一つは、前記ユニット筐体に接続された接続端の中心軸とケーブル側端子が着脱される着脱端の中心軸とが直交する形状を有し、且つ、前記接続端の中心軸を回転軸として回転
可能に枢着された可動端子からなり、前記可動端子は、前記ユニット筐体を前記収納箱に固定した状態にて、前記可動端子の回転により前記着脱端の中心軸がなす平面と、前記ユニット筐体が固定される前記収納箱の固定面とが平行となるように配設されていることを特徴とする。
【０００９】
請求項２に記載の発明は、請求項１に記載の信号処理ユニットにおいて、前記端子は、一つの入力端子と複数の出力端子とを備え、前記ユニット筐体内に、前記入力端子から入力された信号を分岐して前記複数の出力端子から出力させる分岐回路が内蔵されていることを特徴とする。
【００１０】
請求項３に記載の発明は、請求項１に記載の信号処理ユニットにおいて、前記ユニット筐体内には、一つの端子から入力された信号を増幅して他の端子から出力させる増幅回路が内蔵されていることを特徴とする。
【００１１】
請求項４に記載の発明は、請求項１乃至請求項３のいずれかに記載の信号処理ユニットにおいて、前記端子の着脱端側は、Ｆ型プラグを着脱可能な形状に形成されていることを特徴とする。
【００１２】
請求項５に記載の発明は、請求項１乃至請求項４のいずれかに記載の信号処理ユニットにおいて、前記ユニット筐体は、前記可動端子の接続端を枢着するための取付孔を有すると共に、前記取付孔の開口縁を形成する部分を２分割するように分割された分割筐体を一体に固着した構造を有し、前記可動端子の接続端側には、前記取付孔の開口縁部に形成された筐体側接続部と係合する端子側接続部が形成され、前記分割筐体のそれぞれに形成された前記筐体側接続部で前記端子側接続部を挟み込んで両接続部を係合させることにより、前記可動端子は前記ユニット筐体に枢着されることを特徴とする。
【発明の効果】
【００１３】
本発明の信号処理ユニットでは、同軸伝送路を接続するために設けられた端子の少なくとも一つが可動端子として構成され、しかも、可動端子は、ユニット筐体の側面から突出させるのではなく、ユニット筐体の上面から突出させている。
【００１４】
従って、本発明の信号処理ユニットによれば、同軸伝送路を無理な角度で曲げることなく配線可能な方向に可動端子を向けることができ、また、可動端子に対する配線作業の作業性を低下させることなく、信号処理ユニットの配置間隔を狭くすること、ひいては、収納箱を小型化することができる。
【００１５】
なお、信号処理ユニットは、例えば、請求項２に記載のように分岐回路が内蔵された分岐器として構成されたものや、請求項３に記載のように増幅回路が内蔵された増幅器として構成されたものであってもよい。
【００１６】
また、端子は、請求項４に記載のように、Ｆ型プラグを着脱できるように構成されていることが望ましい。
また、ユニット筐体に形成された取付孔に可動端子を枢着する場合、請求項５に記載のように、ユニット筐体が分割筐体を一体に固着した構造を有するように構成し、可動端子に形成された端子側接続部を、分割筐体のそれぞれに形成された筐体側接続部で挟み込んで、両接続部を係合させるようにしてもよい。
【００１７】
この場合、可動端子を、簡易な構成かつ簡易な組立で実現することができる。
【発明を実施するための最良の形態】
【００１８】
以下に、本発明の実施の形態を、図面を基に詳細に説明する。
［第１実施形態］
図１は本発明が適用された増幅器ユニット１の構成を示す図であり、（ａ）は平面図、（ｂ）は正面図、（ｃ）は側面図である。
【００１９】
なお、増幅器ユニット１は、例えば、ＣＡＴＶシステム等を通信システムを構築する際に用いられる信号処理ユニットの一種であり、建物の壁面等に設置される収納箱内に、他の信号処理ユニット（ＣＡＴＶのブースタ、分配器、ＤＳＵ、ケーブルモデムなど）と共に収納され、同軸ケーブルからなる伝送線路によって配線して使用されるものである。
【００２０】
また、以下の説明において方向を示す場合、特にことわらない限り、図１（ａ）（ｂ）における左右方向を長手方向、図１（ａ）における上下方向、及び図１（ｃ）における左右方向を短手方向、図１（ｂ）（ｃ）における上下方向をそのまま上下方向とする。
【００２１】
図１に示すように、増幅器ユニット１は、直方体状に形成されたユニット筐体３と、ユニット筐体３の長手方向の一端側において、ユニット筐体３の側面（上下方向に沿った面）から突設され、入力端子として使用される固定端子５と、ユニット筐体３の長手方向の他端側において、ユニット筐体３の上面（上下方向の上側に位置する面）に突設され、出力端子として使用される可動端子７とを備えている。
【００２２】
このうち、ユニット筐体３は、アルミダイカストのような導電材を成形することにより製造され、内部に電子部品等を収納する空間を有した箱体である。なお、ユニット筐体３の下面（上下方向の下側に位置する面）の四隅には、当該増幅器ユニット１を、収納箱内の固定面等に固定するためのネジ孔が形成されたフランジ部４が設けられていると共に、ユニット筐体３の上面には、可動端子７が回転可能に枢着される取付孔３０（図２（ｂ）参照）が形成されている。また、ユニット筐体３は、短手方向の中心を長手方向に沿って２分割した分割筐体３ａ，３ｂを一体に固着した構造を有している。
【００２３】
ここで、図２（ａ）は、図１（ａ）におけるＡ−Ａ線断面図であり、図２（ｂ）は分割筐体の一部を破断した斜視図である。また、図３は、可動端子である出力端子の詳細を示す図であり、（ａ）は側面図、（ｂ）は正面図、（ｃ）は（ｂ）におけるＢ−Ｂ線断面図である。
【００２４】
なお、図２（ａ）には、分割筐体３ａが、他方の分割筐体３ｂを取り外した状態で示されている。但し、固定端子５が形成された側壁は、分割筐体３ａと一体に形成されているものとする。つまり、分割筐体３ｂは、固定端子５が形成された側壁を有していないこと以外は、分割筐体３ａに対して面対称な形状ではあるが、分割筐体３ａと同様に構成されている。
【００２５】
図２に示すように、ユニット筐体３の内部に形成された空間内には、電子部品が組み込まれたプリント基板４０が組み付けられている。本実施形態では、このプリント基板４０上には、入力端子である固定端子５から入力される信号を増幅して出力端子である可動端子７へ出力する増幅回路が構成されている。
【００２６】
このプリント基板４０は、分割筐体３ａの内壁に形成された多数の突設片３８に対して、プリント基板４０の周囲に形成されたアース側導電体を半田付け等することにより、電気的に安定した状態で固着されている。更に、このユニット筐体３内に組み付けられたプリント基板４０において、そのプリント基板４０上に形成された信号側導電体には、固定端子５及び可動端子７からユニット筐体３内に突出させた中心導体（後述する）５１，７
１の先端部が接続されている。
【００２７】
また、図２（ｂ）に示すように、分割筐体３ａ，３ｂにおいて、ユニット筐体３の上面を形成する壁面には、取付孔３０を形成する半円状の凹部が形成されている。そして、この凹部の周縁３１（即ち、取付孔３０の開口縁）には、一定厚さの突条３２が形成されている。つまり、分割筐体３ａ，３ｂを一体に固着することで形成される取付孔３０の内周縁３１に、突条３２からなるリング状の壁が存在することにより、取付孔３０の孔径は、取付孔３０の軸方向に沿って階段状に変化するものとなる。以下では、内周縁３１及び突条３２からなる構造を、筐体側接続部３３という。
【００２８】
また、一方の分割筐体３ａの端面には、内部に雌ねじを形成したネジ孔３４が複数箇所に形成され、他方の分割筐体３ｂには、これらのネジ孔３４と対向する位置に、分割筐体３ｂを貫通する貫通孔３５が形成されている。つまり、分割筐体３ａ，３ｂを閉じ合わせた状態で、分割筐体３ｂ側から貫通孔３５にネジ棒３６を挿入してネジ孔３４に螺合させる事によって、分割筐体３ａ，３ｂは一体に固着される。
【００２９】
次に、固定端子５は、中心導体５１および該中心導体５１に対して同心的に設けられた外部導体５３を有し、同軸ケーブルの先端に接続されたＦ型プラグ（図示せず）を着脱可能な円筒状のＦ型接栓座からなる。なお、外部導体５３は、ユニット筐体３側壁と一体に構成されている。また、中心導体５１は、Ｆ型プラグが接続される側の一端が、Ｆ型プラグの中心導体を挟持する形状に形成されると共に、他端がユニット筐体３の内部に突出するように構成され、外部導体５３の中心軸線上に沿って配置されるように、絶縁体からなるスペーサ５５によって保持されている。
【００３０】
一方、可動端子７は、図２及び図３に示すように、中心導体７１および該中心導体７１に対して同心的に設けられた外部導体７３からなり、円筒状かつ略Ｌ字状のＦ型接栓座からなる。
【００３１】
なお、以下では、可動端子７において、互いに直行してＬ字形状を形成する二つの円筒状部位のうち、同軸ケーブルの先端に接続されたＦ型プラグ（図示せず）が着脱される側を着脱部７ａ、ユニット筐体３に枢着される側を摺動固着部７ｂと呼ぶものとする。
【００３２】
そして、外部導体７３は、着脱部７ａ側の第１外部導体７３ａ及び摺動固着部７ｂ側の第２外部導体７３ｂの内部空間が互いに連通するように一体成形されており、また、第１及び第２外部導体７３ａ，７３ｂの接続部の近傍には、内部空間に連通し、蓋体７４を圧入又は螺合することで密閉可能な貫通孔７５が設けられている。
【００３３】
また、第２外部導体７３ｂの外周壁には、筐体側接続部３３を係合させるための周回溝７６を形成する一対の突条７７からなる端子側接続部７８が形成されている。なお、第２外部導体７３ｂは、周回溝７６が形成された部分の外径が、筐体側接続部３３の突条３２が形成された部分（以下「小径部」という）における取付孔３０の孔径より小さく、また、突条７７が形成された部分の外径が、取付孔３０の小径部以外の部分（以下「大径部」という）における孔径より小さく且つ小径部における孔径より大きくなるように形成されている。
【００３４】
つまり、ユニット筐体３の組立時に、各分割筐体３ａ，３ｂに形成された筐体側接続部３３の突条３２が、可動端子７に形成された端子側接続部７８の周回溝７６に係合するように、可動端子７を挟み込むようにして、分割筐体３ａ，３ｂを一体に固着することにより、可動端子７は、ユニット筐体３との電気的接続を保ちながら、摺動固着部７ｂ（第２外部導体７３ｂ）の中心軸を回転軸とした回転が可能な状態で、ユニット筐体３の取付孔
３０に枢着される。
【００３５】
また、可動端子７の中心導体７１は着脱部７ａ側の第１中心導体７１ａと、摺動固着部７ｂ側の第２中心導体７１ｂとからなる。
このうち第１中心導体７１ａは、固定端子５の中心導体５１と同様に構成され、その一端は、ユニット筐体３内ではなく摺動固着部７ｂ内に突出するよう構成されている。また、第２中心導体７１ｂは、一端が第１中心導体７１ａの摺動固着部７ｂ内に突出した部分と接触し、他端がユニット筐体３内に突出するように構成されている。
【００３６】
そして、両中心導体７１ａ，７１ｂは、それぞれが外部導体７３ａ，７３ｂの中心軸上に沿って配置されるように、絶縁体からなるスペーサ７８ａ，７８ｂによって保持されている。これらスペーサ７８ａ，７８ｂは、圧入または接着剤などによって、外部導体７３ａ，７３ｂ内に固着されている。
【００３７】
なお、第１及び第２中心導体７１ａ，７１ｂが互いに接触する部位は、外部導体７３に形成された貫通孔７５を介して、例えば半田付け等を行うことによって固着される。つまり、ユニット筐体３内に突出した第２中心導体７１ｂの先端部分は、可動端子７の回転と共に回転するように構成されている。
【００３８】
従って、可動端子７の中心導体７１は、この中心導体７１を回転可能に支持する弾性支持部材８０を介して、プリント基板４０に形成された信号側導体に接続されている。
このように構成された増幅器ユニット１は、収納箱内に固定され、その入力端子としての固定端子５及び出力端子としての可動端子７には、収納箱に引き込まれた同軸ケーブルや、収納箱に収納された他の信号処理ユニットとの接続に用いる同軸ケーブルが接続される。
【００３９】
以上説明したように、増幅器ユニット１では、可動端子７が、Ｌ字状に形成され、しかも、ユニット筐体３の上面に回転可能に枢着されている。
従って、増幅器ユニット１によれば、収納箱に引き込まれる同軸ケーブルや、収納箱に収納された他の信号処理ユニットに接続された同軸ケーブルの配線状態によらず、常に、同軸ケーブルが自然なカーブを描く方向に可動端子７を向けることができる。
【００４０】
また、増幅器ユニット１によれば、可動端子７がユニット筐体３より高い位置にあるため、増幅器ユニット１を含む信号処理ユニットの配置間隔が狭くても、可動端子７への同軸ケーブルの接続や、接続した同軸ケーブルの引き回しを容易に行うことができ、ひいては収納箱を小型化することができる。
【００４１】
なお、本実施形態では、固定端子５を入力端子、可動端子７を出力端子として用いるように構成したが、逆に、固定端子５を入力端子、可動端子７を入力端子として用いるように構成してもよい。
【００４２】
また、図４に示す増幅器ユニット１Ａのように、固定端子５の代わりに可動端子７と同様に構成された可動端子８を設け、入力端子及び出力端子の両方が可動端子７，８となるように構成してもよい。
［第２実施形態］
次に、本発明の第２の実施形態について説明する。
【００４３】
なお、第１実施形態の増幅器ユニット１とは、構成の一部が異なるだけであるため、同じ構成については、同一符号を付して説明を省略し、構成の相違する部分を中心に説明する。
【００４４】
図５は、本発明が適用された分配器ユニット２の構成を示す図面であり、（ａ）は平面図、（ｂ）は正面図、（ｃ）は側面図である。
分配器ユニット２は、ユニット筐体３の短手方向の一端に位置する側面に形成され、入力端子として使用される固定端子５と、ユニット筐体３の上面に形成され、出力端子として使用される二つの可動端子７，８とを備えている。
【００４５】
そして、ユニット筐体３の内部に収納されたプリント基板上には、入力端子（固定端子５）から入力される信号を、電力分配して二つの出力端子（可動端子７，８）のそれぞれから出力させる分配回路が構成されている。
【００４６】
なお、固定端子５、及び可動端子７，８の詳細、及び可動端子７，８をユニット筐体３に回転可能に枢着させるための構造は、第１実施形態のものと全く同様である。
このように構成された分配器ユニット２は、第１実施形態の増幅器ユニット１とは、信号処理の内容と、出力端子の数が異なるだけであり、同軸ケーブルの接続，配線の容易性、収納箱の小型化については、増幅器ユニット１と同様の効果を得ることができる。
【００４７】
なお、本実施形態では、固定端子５を入力端子、可動端子７，８を出力端子として用いるように構成したが、固定端子５を出力端子、可動端子７，８を入力端子及び出力端子として用いるように構成してもよい。
【００４８】
また、図６に示す分配器ユニット２Ａのように、固定端子５の代わりに、可動端子７，８と同様に構成された可動端子９を設け、入力端子及び出力端子の全てが可動端子７，８，９となるように構成してもよい。
［他の実施形態］
以上本発明のいくつかの実施形態について説明したが、本発明は上記実施形態に限定されるものではなく、本発明の要旨を逸脱しない範囲において、様々な態様にて実施することが可能である。
【００４９】
例えば、固定端子及び可動端子の数や、固定端子及び可動端子と入力端子及び出力端子との対応関係は、上述したものに限らず任意に設定してよい。
上記実施形態では、増幅器ユニット１，１Ａ、分配器ユニット２，２Ａについて説明したが、その他の信号処理ユニットに適用してもよい。
【００５０】
上記実施形態では、端子側接続部７８の周回溝７６を、摺動固着部７ｂの全周に亘って形成した例を示したが、筐体側接続部３３の突条３２と係合し、取付孔３０から脱落しないように枢着されればよいため、必ずしも全周に設ける必要はなく、断続的な溝を形成してもよい。
【００５１】
上記実施形態では、筐体側接続部３３と端子側接続部７８とは直に接触するように構成されているが、例えば、端子側接続部７８の周回溝７６に、可動端子７の回動を滑らかにすると共に、ユニット筐体３との間の電気的接触を改善し、シールド性を向上させるための弾性導電材からなる摺動部材を装着して、この摺動部材を介して両接続部３３，７８が接触するように構成してもよい。
【図面の簡単な説明】
【００５２】
【図１】第１実施形態の増幅器ユニットの構成を示す図であり、（ａ）は平面図、（ｂ）は正面図、（ｃ）は側面図である。
【図２】（ａ）は図１（ａ）におけるＡ−Ａ線断面図であり、（ｂ）は分割筐体の一部を破断した斜視図である。
【図３】可動端子の構成を示す図であり、（ａ）は側面図、（ｂ）は正面図、（ｃ）は（ｂ）におけるＢ−Ｂ線断面図である。
【図４】第１実施形態の変形例の構成を示す図であり、（ａ）は平面図、（ｂ）は正面図、（ｃ）は側面図である。
【図５】第２実施形態の分配器ユニットの構成を示す図であり、（ａ）は平面図、（ｂ）は正面図、（ｃ）は側面図である。
【図６】第２実施形態の変形例の構成を示す図であり、（ａ）は平面図、（ｂ）は正面図、（ｃ）は側面図である。
【図７】従来の信号処理ユニットの構成を示す図であり、（ａ）は平面図、（ｂ）は正面図、（ｃ）は側面図である。
【符号の説明】
【００５３】
１，１Ａ…増幅器ユニット    ２，２Ａ…分配器ユニット    ３…ユニット筐体    ３ａ，３ｂ…分割筐体    ４…フランジ部    ５…固定端子    ７，８，９…可動端子    ７ａ…着脱部    ７ｂ…摺動固着部    ３０…取付孔    ３１…周縁    ３２，７７…突条    ３３…筐体側接続部    ３４…ネジ孔    ３５…貫通孔    ３６…ネジ棒    ３８…突設片    ４０…プリント基板    ５１，７１…中心導体    ５３，７３…外部導体  
５５，７８ａ，７８ｂ…スペーサ    ７４…蓋体    ７５…貫通孔    ７６…周回溝  
７８…端子側接続部    ８０…弾性支持部材
【図１】
2008251456.tif 000003
【図２】
2008251456.tif 000004
【図３】
2008251456.tif 000005
【図４】
2008251456.tif 000006
【図５】
2008251456.tif 000007
【図６】
2008251456.tif 000008
【図７】
2008251456.tif 000009